(57)【要約】【課題】プロテクタのケースと蓋の間に電線が噛み込むのを防止する。【解決手段】ワイヤハーネスの電線群を挿通する底壁と両側壁とからなるケースの側壁先端と、該ケースの上面開口に被せる蓋の開閉端との間に隙間をあけていると共に、該蓋の開閉端と該開閉端と対向する前記側壁先端とにそれぞれ嵌合突起を設ける一方、前記ケースおよび蓋とに設けた嵌合突起に嵌合する嵌合溝を有するロックガイド棒を設け、前記電線群を挿通した前記ケースに前記蓋を被せた状態で、長さ方向の先端から前記ロックガイド棒の嵌合溝に前記ケースおよび蓋の嵌合突起を嵌合させて移動させ、該ロックガイド棒で前記ケースと蓋とを結合する構成としている。【選択図】図２
2015202004.tif 000002
【特許請求の範囲】
【請求項１】
ワイヤハーネスの電線群を挿通する底壁と両側壁とからなるケースの側壁先端と、該ケースの上面開口に被せる蓋の開閉端との間に隙間をあけていると共に、該蓋の開閉端と該開閉端と対向する前記側壁先端とにそれぞれ嵌合突起を設ける一方、
前記ケースおよび蓋とに設けた嵌合突起に嵌合する嵌合溝を有するロックガイド棒を設け、
前記電線群を挿通した前記ケースに前記蓋を被せた状態で、長さ方向の先端から前記ロックガイド棒の嵌合溝に前記ケースおよび蓋の嵌合突起を嵌合させて移動させ、該ロックガイド棒で前記ケースと蓋とを結合する構成としているプロテクタ。
【請求項２】
前記ロックガイド棒は屈曲できる柔軟棒または直線状の剛性棒からなり、前記嵌合溝を設けられる面積を有する断面円形または断面矩形としている請求項１に記載のプロテクタ。
【請求項３】
前記嵌合突起は前記ケースの側壁上端および蓋の幅方向先端から対向して突設した屈折板からなる嵌合突起からなる一方、
前記ロックガイド棒に設ける前記嵌合溝は、前記ケースと蓋の屈折板からなる嵌合突起にそれぞれ嵌合する一対のＬ形状の屈曲溝からなり、該一対の屈曲溝を９０度間隔をあけると共に該嵌合溝間に所要の間隔をあけて長さ方向に連続して設けている請求項１または請求項２に記載のプロテクタ。
【請求項４】
前記嵌合突起は前記ケースの側壁上端に長さ方向に間隔をあけて突設した円柱からなる嵌合突起からなる一方、
前記ロックガイド棒は断面Ｃ型棒として、側面開口の円形溝からなる前記嵌合溝を設け、該ロックガイド棒を前記ケースの嵌合突起と蓋の嵌合突起に交互に外嵌している請求項１または請求項２に記載のプロテクタ。
【請求項５】
前記蓋は前記ケースに薄肉ヒンジ部を介して連続した一体品、またはケースと別体の蓋とし、
前記一体品では前記蓋の幅方向一端の開閉端に前記嵌合突起を設けると共に、前記ケースの一側壁の先端に前記嵌合突起を設け、
前記別体では、前記蓋の幅方向両端およびケースの両側壁の上端に前記嵌合突起を設けている請求項１乃至請求項４のいずれか１項に記載のプロテクタ。
【発明の詳細な説明】
【技術分野】
【０００１】
本発明はプロテクタに関し、詳しくは、車両に配索するワイヤハーネスに外装して経路規制および保護を図る樹脂製のプロテクタであり、特に、電線群を収容する樋形状のプロテクタのケースと蓋との接触部に電線が噛み込むのを防止するものである。
【背景技術】
【０００２】
従来、この種のワイヤハーネス用のプロテクタとして図７（Ａ）または（Ｂ）に示すプロテクタが汎用されている。該プロテクタ１００は樋形状のケース１０１にワイヤハーネス２００を構成する多数の電線２０１を挿入後に、ケース１０１と別体の蓋１０２Ａまたは一端をヒンジ結合した蓋１０２Ｂでケース１０１の上面開口を閉鎖し、蓋１０２Ａまたは１０２Ｂとケース１０１とに設けたロック部１０１ｒと１０２ｒとを係止してロック結合している。
【０００３】
また、従来、本出願人は、特開平９−３７４３２号公報において、図８に示すプロテクタ１２０を提供している。該プロテクタ１２０はケース１２１の両側壁の上端から長さ方向全長にＬ形状のガイド壁１２１ａ、１２１ｂを突設する一方、別体の蓋１２２の両側端からガイド壁１２１ａ、１２１ｂにそれぞれスライド嵌合するスライド板部１２２ａ、１２２ｂを突設している。ケース１２１にワイヤハーネス２００の電線２０１を挿通した後に、ケース１２１の長さ方向の一端から蓋１２２のスライド板部１２２ａ、１２２ｂをガイド壁１２１ａ、１２１ｂにそれぞれ被せてスライドさせて、蓋１２２でケース１２１の上面開口を閉鎖している。
【先行技術文献】
【特許文献】
【０００４】
【特許文献１】特開平９−３７４３２号公報
【発明の概要】
【発明が解決しようとする課題】
【０００５】
前記図７（Ａ）（Ｂ）に示す汎用されているプロテクタ１００では、ケース１０１に電線２０１を挿通した後に蓋１０２Ａまたは１０２Ｂを被せてロック結合する際、はみ出した電線２０１ーｅが蓋１０２Ａまたは１０２Ｂとケース１０１の側壁先端との間に噛み込み易く、電線に損傷が生じる場合がある。
【０００６】
特許文献１の図８に示すプロテクタ１２０は、ケース１２１の両側壁の上端から電線２０１がはみ出していると、蓋１２２を長さ方向の一方から摺動させて閉鎖する過程で蓋１２２の上壁の下面とケース１２１の両側壁の上面との間にはみ出した電線２０１を噛み込む恐れがあり、改善の余地がある。
【０００７】
本発明は前記問題に鑑みてなされたもので、プロテクタのケースと蓋の間に電線の噛み込みの発生を簡単かつ確実に防止できるプロテクタを提供することを課題としている。
【課題を解決するための手段】
【０００８】
前記課題を解決するため、本発明は、ワイヤハーネスの電線群を挿通する底壁と両側壁とからなるケースの側壁先端と、該ケースの上面開口に被せる蓋の開閉端との間に隙間をあけていると共に、該蓋の開閉端と該開閉端と対向する前記側壁先端とにそれぞれ嵌合突起を設ける一方、
前記ケースおよび蓋とに設けた嵌合突起に嵌合する嵌合溝を有するロックガイド棒を設け、
前記電線群を挿通した前記ケースに前記蓋を被せた状態で、長さ方向の先端から前記ロックガイド棒の嵌合溝に前記ケースおよび蓋の嵌合突起を嵌合させて移動させ、該ロックガイド棒で前記ケースと蓋とを結合する構成としているプロテクタを提供している。
【０００９】
前記のように、本発明のプロテクタでは、前記プロテクタのケースに蓋を閉じた状態では、蓋の開閉端とケースの側壁先端との間にワイヤハーネスの電線が挟まらない寸法の隙間をあけ、ケースと蓋との間に電線の噛み込みが発生しないようにしている。該ケースと蓋との間の前記隙間の寸法は３〜５ｍｍ程度として、最も汎用されている中径電線が噛み込まずにケース内に落下できる寸法としている。
【００１０】
前記ケースにワイヤハーネスの電線群を挿通した後に前記蓋を被せた状態で、該蓋の開閉端と前記ケースの側壁先端の隙間を塞ぐと共に、該蓋とケースとを結合するために、前記ロックガイド棒を長さ方向の先端から、前記本体の嵌合突起を嵌合溝に嵌合しながら移動させてロック結合している。
前記ロックガイド棒をプロテクタのケースと蓋に取り付ける作業時に、長さ方向の先端から移動させて取り付けていくため、該作業時に、ケースと蓋の前記隙間からはみ出した電線があれば、該電線をケース内部に挿入しながらロックガイド棒でケースと蓋とを結合できる。これにより、ケースと蓋との間に電線が噛み込まれるのを確実に防止できる。
【００１１】
前記ロックガイド棒は屈曲できる柔軟棒または直線状の剛性棒からなり、前記嵌合溝を設けられる面積を有する断面円形または断面矩形の連続棒としている。
前記剛性棒のロックガイド棒は直線状のプロテクタに用い、円弧部を有するプロテクタに柔軟棒のロックガイド棒を用いている。
なお、ロックガイド棒を柔軟棒とすると、直線状および円弧部を有する形状を含むいずれの形状のケースにも用いることができる。
【００１２】
例えば、前記嵌合突起は前記ケースの側壁上端および蓋の幅方向先端から対向して突設した屈折板からなる嵌合突起からなる一方、
前記ロックガイド棒に設ける前記嵌合溝は、前記ケースと蓋の屈折板からなる嵌合突起にそれぞれ嵌合する一対のＬ形状の屈曲溝からなり、該一対の屈曲溝を９０度間隔をあけると共に該嵌合溝間に所要の間隔をあけて長さ方向に連続して設けている。
前記嵌合突起および嵌合溝の形状は、互いに嵌合して、容易に離脱できない形状であればよく、限定されない。  
【００１３】
あるいは、前記嵌合突起は前記ケースの側壁上端に長さ方向に間隔をあけて突設した円柱からなる嵌合突起からなる一方、
前記ロックガイド棒は断面Ｃ型棒として、側面開口の円形溝からなる前記嵌合溝を設け、該ロックガイド棒を前記ケースの嵌合突起と蓋の嵌合突起に交互に外嵌してもよい。
【００１４】
前記蓋は前記ケースに薄肉ヒンジ部を介して連続した一体品、またはケースと別体の蓋とし、
前記一体品では前記蓋の幅方向一端の開閉端に前記嵌合突起を設けると共に、前記ケースの一側壁の先端に前記嵌合突起を設け、
前記別体では、前記蓋の幅方向両端およびケースの両側壁の上端に前記嵌合突起を設けている。
【発明の効果】
【００１５】
前記のように、本発明のプロテクタでは、プロテクタのケースにワイヤハーネスの電線を挿入し、蓋を閉じた状態では、蓋の開閉端とケースの側壁先端との間にワイヤハーネスの電線が挟まらない寸法の隙間をあけているため、ケースと蓋の間に電線が噛み込むのを抑制、防止できる。かつ、蓋を被せた後にロックガイド棒を蓋とケースとの間に取り付けていく作業時に、長さ方向の先端から移動させて取り付けていくため、ケースと蓋の前記隙間からはみ出した電線があれば、該電線をケース内部に挿入しながらロックガイド棒でケースと蓋とを結合できる。これにより、ケースと蓋との間に電線が噛み込まれるのを確実に防止できる。
【図面の簡単な説明】
【００１６】
【図１】本発明の第１実施形態のプロテクタを示し、（Ａ）が分解斜視図、（Ｂ）はロックガイド棒の拡大側面図である。
【図２】前記プロテクタでワイヤハーネスを外装した状態を示す断面図である。
【図３】第１実施形態のプロテクタの変形例を示す分解斜視図である。
【図４】第２実施形態のプロテクタの分解斜視図である。
【図５】第３実施形態のプロテクタの分解斜視図である。
【図６】第４実施形態のプロテクタを示し、（Ａ）は分解斜視図、（Ｂ）はワイヤハーネスに外装した状態の断面図である。
【図７】（Ａ）（Ｂ）は従来例を示す断面図である。
【図８】他の従来例の斜視図である。
【発明を実施するための形態】
【００１７】
以下、本発明の実施形態を図面を参照して説明する。
図１および図２に第１実施形態のプロテクタ１−Ａを示す。
プロテクタ１−Ａは、プロテクタ本体５とロックガイド棒６とからなる。
【００１８】
プロテクタ本体５は剛性を有する樹脂成型品からなり、長さ方向に真っすぐに延在する直線形状としている。該プロテクタ本体５は、底壁２ａと両側壁２ｂ、２ｃを備え、長さ方向の両端および上面が開口する樋形状のケース２と、側壁２ｃの上端に薄肉ヒンジ部３を介して開閉自在に連続して設けた片開き形状の蓋４とを一体的に設けている。
前記ロックガイド棒６は断面円形状で、円弧状に屈曲できる柔軟性を有する柔軟棒としている。
【００１９】
前記ケース２の側壁２ｂの上端から外横向きに突設した屈折板からなる嵌合突起１０と、蓋４の幅方向一端の開閉端から上向きに突設した屈折板からなる嵌合突起１１を長さ方向の全長に連続して設けている。また、該ケース２の底壁２ａの長さ方向の両端にワイヤハーネス固着用のテープ巻き片（図示せず）を突設している。
【００２０】
ケース２の上面開口２ｈを閉鎖するために蓋４を回転させて閉じた状態で、蓋４の幅方向の一端の開閉端４ｅと、前記ケース２の側壁２ｂの上端２ｓとの間に電線２０１の外径より大きな隙間Ｃ１をあけている。この隙間Ｃ１を設けることで、蓋４で閉鎖した状態でワイヤハーネス２００を構成する電線２０１が蓋４とケース側壁２ｂとの間に噛み込まないようにしている。ワイヤハーネス２００を構成する多数の電線２０１は外径が相違するものも含まれるが、前記隙間Ｃ１は３〜５ｍｍ程度として汎用されている中径の電線が挟まれない寸法としている。
【００２１】
前記ロックガイド棒６は、前記のように、柔軟性を有する樹脂で形成し、長さ方向で任意の位置で円弧状に屈曲可能としている。
該ロックガイド棒６は、前記ケース２の嵌合突起１０と蓋４の嵌合突起１１がそれぞれ嵌合するＬ形状に屈曲した嵌合溝１３と１４を９０度間隔をあけて長さ方向に連続して設けている。詳しくは、図１（Ｂ）および図２に示すように、嵌合溝１３は嵌合突起１０と嵌合する横溝１３ａと側壁２ｂの上端部と嵌合する縦溝１３ｂとからなり、嵌合溝１４は嵌合突起１１と嵌合する縦溝１４ａと蓋開閉部と嵌合する横溝１４ｂとからなる。嵌合溝１３と１４とが最も近接した部位で前記隙間Ｃ１と対向する寸法Ｌを有する隙間Ｃ２をあけて設けている。該ロックガイド棒６の長さはケース２の全長と同等な長さとしている。
【００２２】
前記プロテクタ１−Ａは図２に示すようにワイヤハーネス２００に外装している。
外装の手順はまず、プロテクタ本体５の蓋４をあけ、ケース２の上面開口からワイヤハーネス２００を構成する多数の電線２０１を挿入して、ケース２内に貫通させ、長さ方向の両端開口から引き出している。
【００２３】
ついで、蓋４を回転させてケース２の上面開口を閉鎖する。其の際に、蓋４の幅方向の先端の開閉端４ｅとケース２の側壁２ｂの上端との間には隙間Ｃ１があるため、隙間Ｃ１より大きな大径電線を除き電線２０１は挟まることはなく、かつ、隙間Ｃ１から外方にはみ出した電線を見つけると、蓋４を少しあけてはみ出した電線をケース２の内部に落とし込むことができる。
【００２４】
ついで、ロックガイド棒６を蓋４を閉じたプロテクタ本体５の長さ方向の一端から他端に向けて取り付ける。該取付作業はロックガイド棒６の嵌合溝１３をケース２の嵌合突起１０および側壁２ｂの上端部に、嵌合溝１４を蓋の嵌合突起１１および蓋の幅方向の先端部に通して嵌合しながら行う。該作業時にケース２と蓋４との前記隙間Ｃ１から外方にはみ出している電線があると、ロックガイド棒６を移動する際に、該電線をケース２の内部に落とし込みながら結合していく。
該ロックガイド棒６を長さ方向の他端まで取り付けて、図２に示す状態でケース２と蓋４とを全長にわたってロックガイド棒６で結合している。
【００２５】
図３に第１実施形態の変形例を示す。
該変形例のプロテクタ１−Ａ’では、ケース２の側壁２ｂの外面に取付用ステー等の突出部分２ｇを設けている。上下金型を用いてプロテクタ１−Ａ’を射出成形する場合、突出部分２ｇがあるため、側壁２ｂの上端には嵌合突起１０を設けることができず、嵌合突起１０は長さ方向の中間領域で設けられず、長さ方向の両側に嵌合突起１０を分割嵌合突起１０−１、１０−２として設けられる。蓋４は第１実施形態と同様に、蓋４の開閉端側には嵌合突起１１を長さ方向に連続して設けている。
ロックガイド棒６は第１実施形態と同一のロックガイド棒６を用いており、一対のＬ形状の嵌合溝１３、１４を長さ方向に連続して設けている。
【００２６】
このように、ケース２には嵌合突起１０が設けられていない箇所が存在するが、ロックガイド棒６は嵌合突起１０がない中間領域ではロックガイド棒６の嵌合溝１４に蓋４の嵌合突起１１を嵌合させ、他の領域ではケース２と蓋４の嵌合突起１０と１１とに嵌合溝１３、１４を嵌合させて取り付けることができる。
【００２７】
図４に第２実施形態を示す。
第２実施形態のプロテクタ１−Ｂが長さ方向の中間部に円弧部を有する曲がった形状としている点で第１実施形態のプロテクタ１−Ａと相違している。
プロテクタ１−Ｂのケース２は底壁２ａおよび両側壁２ｂ、２ｃの中間部に円弧部２Ｒを設けている。該ケース２の側壁２ｂの上端に横向きに屈折させた屈折板からなる嵌合突起１０を連続して突設している。また、側壁２ｃの長さ方向両側の直線部２Ｌ、２Ｌでは上端から薄肉ヒンジ部３を介して分割した蓋４Ａ、４Ｂを設け、これら蓋４Ａ、４Ｂの他端の開閉端から上向きに屈折させた屈折板からなる嵌合突起１１Ａ、１１Ｂを設けている。ロックガイド棒６は第１実施形態の柔軟性を有するロックガイド棒６を用いている。
【００２８】
該円弧部を有する曲がったプロテクタ１−Ｂにおいても、ケース２にワイヤハーネスの電線群を挿入した後、蓋４を閉じて、長さ方向の一端からロックガイド棒６を嵌合して取り付けている。その際、ロックガイド棒６は屈曲可能な柔軟性を有するものとしているため、ケース２の円弧部２Ｒに沿って湾曲でき、分割した蓋４Ａ、４Ｂの嵌合突起１１Ａ、１１Ｂに順次嵌合できる。
なお、円弧部を有する曲がったプロテクタにおいて、蓋もケースと同様に円弧部を有する形状とし、ケースの上面開口を全面閉鎖できる形状であってもよい。
他の構成およびワイヤハーネスへの取付手順は第１実施形態と同様であるため、説明を省略する。
なお、ロックガイド棒として剛性棒を用い、プロテクタのケース２の両側直線部２Ｌ、２Ｌ
に両端から嵌合してもよい。
【００２９】
第１実施形態のプロテクタ１−Ａおよび第２実施形態のプロテクタ１−Ｂは、いずれもケース２と蓋４との間に電線が噛み込むのを確実に防止できる。かつ、ロックガイド棒６は長さ方向に連続させて成形しておくと、プロテクタ本体の長さに応じて切断して用いると、汎用品として共用化できる。かつ、ロックガイド棒６を屈曲可能な柔軟棒としているため、直線状のプロテクタ１−Ａおよび曲がったプロテクタ１−Ｂのいずれにも用いることができる。
【００３０】
図５に第３実施形態を示す。
第３実施形態のプロテクタ１−Ｃはプロテクタ本体５のケース２と蓋４とを別体としている点、およびロックガイド棒６を真っすぐな剛性を有するものとし、該ロックガイド棒６を２本用いる点が第１実施形態のプロテクタと相違する。
ケース２の両側壁２ｂ、２ｃの上端に外向きに突設した屈折板からなる嵌合突起１０Ａ、１０Ｂを設ける一方、蓋４の幅方向の両端に上向きに突設した屈折板からなる嵌合突起１１Ｃ、１１Ｄを設けている。
２本のロックガイド棒６、６に第１実施形態と同様にＬ形状に屈曲した嵌合溝１３、１４を設けている。
【００３１】
ケース２にワイヤハーネスの電線群を挿入した後、蓋４を被せ、ケース２と蓋４の両側にそれぞれロックガイド棒６、６を取り付けて結合している。
他の構成および作用効果は第１実施形態と同様であるため、説明を省略する。
【００３２】
図６（Ａ）（Ｂ）に第４実施形態を示す。
第４実施形態のプロテクタ１−Ｄはケース２の側壁２ｂの上端の中間部に嵌合突起を設けず、長さ方向の両側に円柱突起からなる嵌合突起２０Ａ、２０Ｂを設けている。
一方、蓋４の幅方向の一端の開閉端４ｅの長さ方向の中間部に前記嵌合突起２０Ａ、２０Ｂと同一形状の円柱突起からなる嵌合突起２１を設けている。ケース２の上面開口を蓋４で閉じた状態でケースの嵌合突起２０Ａと２０Ｂの間に蓋４の嵌合突起２１が位置して、嵌合突起２０Ａ、２１、２０Ｂと連続するようにしている。  
かつ、蓋４を閉じた状態で、ケース２の嵌合突起２０Ａ、２０Ｂと蓋４の開閉端４ｅとの間には隙間があり、蓋４の嵌合突起２１とケース２の側壁２ｂの上端との間にも隙間があるようにしている。
【００３３】
ロックガイド棒２５は断面Ｃ型とし、横向きに開口した円弧溝からなる嵌合溝２６を長さ方向に連続して有する形状としている。該ロックガイド棒２５の嵌合溝２６にはプロテクタ本体と蓋の嵌合突起２０Ａ、２１、２０Ｂが長さ方向に連続して嵌合するものとしている。
【００３４】
該プロテクタ１−Ｄのケース２内にワイヤハーネスの電線群を挿入した後、蓋４を被せ、その後、長さ方向の一端からロックガイド棒２５の嵌合溝２６にケース２の嵌合突起２０Ａ、蓋４の嵌合突起２１、最後にケース２の嵌合突起２０Ｂを嵌合して、ロックガイド棒２５でケース２と蓋４とを結合し、図６（Ｂ）に示す状態としている。
【００３５】
前記第４実施形態のプロテクタも、第３実施形態と同様にケースと蓋とを別体としてもよいし、第２実施形態と同様に、湾曲部を有するプロテクタとしてもよい。
【符号の説明】
【００３６】
１−Ａ〜１−Ｂ  プロテクタ
２  ケース
３  薄肉ヒンジ部
４  蓋
５  プロテクタ本体
６  ロックガイド棒
１０、１１  嵌合突起
１３、１４  嵌合溝
２００  ワイヤハーネス
２０１  電線
Ｃ１  隙間
【図１】
2015202004.tif 000003
【図２】
2015202004.tif 000004
【図３】
2015202004.tif 000005
【図４】
2015202004.tif 000006
【図５】
2015202004.tif 000007
【図６】
2015202004.tif 000008
【図７】
2015202004.tif 000009
【図８】
2015202004.tif 000010